(57)【要約】  引込み自在型用具用のシールアセンブリが提供され、ベース部と、ベース部に装着した少なくとも２本のフィンガ部と、ベース部を包囲するスリーブとを含んでいる。スリーブは、引込み自在型用具を引込み位置とした場合にフィンガ部を全閉させてフィンガ部を拘束し、かくしてアプリケータ要素をシールする。ベース部をスリーブに関して引き出すと、フィンガ部が開放され得るようになってアプリケータ要素が露呈され、シールアセンブリが開放されてアプリケータ要素が使用位置に露呈される。その際、シールアセンブリの各構成要素の何れもアプリケータ要素とは接触せず、かくしてアプリケータから流体が移行することが無いので、シールが劣化する恐れは無くなる。
2010517815.tif 000002
【特許請求の範囲】
【請求項１】
アプリケータ要素を有する引込み自在型用具用のシールアセンブリであって、
ベース部と、
ベース部に装着した少なくとも２本のフィンガ部と、
ベース部を部分的に包囲する引込み／引き出し自在のスリーブと、
を含み、
引込み自在型用具が引込み位置にある場合に前記引込み／引き出し自在のスリーブがフィンガ部を全閉させてフィンガ部を拘束し、かくしてアプリケータ要素をシールし、ベース部が前記引込み／引き出し自在のスリーブに関して引き出されるとフィンガ部が開放されて、かくしてアプリケータ要素が露呈されるシールアセンブリ。
【請求項２】
シールアセンブリを引込み自在型用具のアプリケータ要素アセンブリにリンク結合させ、シールアセンブリとアプリケータ要素アセンブリとが同時に引き出されるようにした請求項１のシールアセンブリ。
【請求項３】
ベース部がフランジを含む請求項１のシールアセンブリ。
【請求項４】
ベース部のフランジが、引込み自在型用具を引き出し位置とした場合に該引込み自在型用具のチューブ上に配置したフランジと係合する請求項３のシールアセンブリ。
【請求項５】
アプリケータ要素とは反対側の位置でシールアセンブリ上に配置した、ベース部をシールするための端部シールを更に含む請求項１のシールアセンブリ。
【請求項６】
スリーブが、引込み位置のフィンガ部のための座を提供する請求項１のシールアセンブリ。
【請求項７】
ベース部とフィンガ部とが、引込み自在型用具のノーズ部のストッパがスリーブのストッパと係合するまで引き出され、かくして、ベース部とフィンガ部との引き出しが拘束されると共に、アプリケータ要素が引込み自在型用具から完全に引き出され且つ使用位置に配置され得るようにした請求項１のシールアセンブリ。
【請求項８】
アプリケータ要素の引込み中において、スリーブ上に配置した一組のストッパが引込み自在型用具の胴部上に配置した一組のストッパと係合し、かくしてフィンガ部がアプリケータ要素の周囲に接近し且つアプリケータ要素をシールする請求項１のシールアセンブリ。
【請求項９】
シールアセンブリが、コレット弁またはコレット式弁アセンブリの何れかである請求項１のシールアセンブリ。
【請求項１０】
引込み自在型用具が、筆記用具、ペイントブラシアプリケータ、修正液アプリケータ、メーキャップアプリケータ、パフュームアプリケータ、デオドラントアプリケータ、の何れかである請求項１のシールアセンブリ。
【請求項１１】
筆記用具が、蛍光ペン、マーカー、フェルトペン、ボールペン、の何れかである請求項１０のシールアセンブリ。
【請求項１２】
メーキャップアプリケータが、ネイルポリッシュまたはマスカラアプリケータの何れかである請求項１０のシールアセンブリ。
【請求項１３】
引込み自在型の筆記用具であって、
胴部と、該胴部の第１端部に配置したノーズと、
同部内に配置され、アプリケータ要素を含む筆記用内側アセンブリと、
該筆記用内側アセンブリに連結したシールアセンブリにして、ベース部と、該ベース部に装着した少なくとも２本のフィンガ部と、ベース部を部分的に包囲する引込み／引き出し自在のスリーブと、を含み、引込み自在型の筆記用具が引き込み位置にある場合に、フィンガ部を全閉させて該フィンガ部を拘束し、かくしてアプリケータ要素をシールし、ベース部が前記引込み／引き出し自在のスリーブに関して引き出されるとフィンガ部が開放され、かくしてアプリケータ要素が露呈されるシールアセンブリと、
を含む引込み自在型の筆記用具。
【請求項１４】
筆記用内側アセンブリが、ニブアダプターと、インクを保持するためのリザーバホルダと、リザーバホルダからアプリケータ要素にインクを移行させるためのチューブと、を更に含む請求項１３の引込み自在型の筆記用具。
【請求項１５】
ベース部がフランジを含み、チューブがフランジを含み、引込み自在型の筆記用具を引き込み位置とした場合にベース部のフランジとチューブのフランジとが相互に係合する請求項１４の引込み自在型の筆記用具。
【請求項１６】
シールアセンブリが、ベース部をシールするための端部シールにして、アプリケータ要素と相対する状態でシールアセンブリに配置した端部シールを更に含む請求項１３の引込み自在型の筆記用具。
【請求項１７】
ベース部とフィンガ部とが、ノーズの前方ストッパがスリーブの前方ストッパと係合するまで引き出され、かくして、ベース部とフィンガ部との引き出しが拘束されると、アプリケータ要素が胴部から完全に引き出されて筆記位置となる請求項１３の引込み自在型の筆記用具。
【請求項１８】
アプリケータ要素を引き込む間、スリーブ上に配置した一組のストッパが胴部上に配置した一組のストッパと係合し、かくして、フィンガ部がアプリケータ要素の周囲で閉じてアプリケータ要素をシールする請求項１３の引込み自在型の筆記用具。
【請求項１９】
シールアセンブリが、コレット弁またはコレット式弁アセンブリの何れかである請求項１３の引込み自在型の筆記用具。
【発明の詳細な説明】
【技術分野】
【０００１】
本発明は、一般に用具用のシールアセンブリに関し、詳しくは、引込み式マーカーのような引込み自在型用具用のシールアセンブリに関する。
【背景技術】
【０００２】
外装キャップ付きの引込み式用具に係わる問題や不便性を解消するものとしてキャップレス方式の引込み式マーカーが開発された。そうした不便性には、“マーカーペンの外付けキャップの開け閉め”に両手が要ることや、アプリケータ要素、例えば筆記用チップの着脱時に外付けキャップを無くしやすいことが含まれる。例えば米国特許第６，９８１，８１２号（以下、８１２特許：キャップ付きの従来型筆記用具に係わる問題が説明される）を参照されたい。キャップレス式の引込み自在型用具のあるものでは、キャップレス式の引込み自在型マーカーペンのカバーがペンチューブ内に隠れるようにし、ペンチューブの上部に格納した起動手段で筆記用チップの出し入れを制御するようにしている。
【０００３】
キャップレス式の引込み自在型筆記用具は、外付けキャップ付きのマーカー又はペンよりも競争優位性において勝れるが問題が幾つかある。例えば、引込み自在型用具の現用のシール要素は、長期間や長時間の使用後又は環境によってはシールが効かなくなる場合がある点で信頼性に乏しい。また、そうしたシールアセンブリは再現性を得られない場合がある、つまり、使用する都度適正なシールが提供されるわけではない。更には、“組み立てプロセスが複雑で時間浪費的であり”、しかも“大量生産の高速化”が難しい。８１２特許の第２欄第６３〜６５行（“従来型のキャップレス式引込み自在型マーカーペンには、尚、解決を要する多くの問題があることが説明されている）を参照されたい。
【０００４】
こうした問題を解決する試みの多くは、シールの信頼性及び再現性の何れか又は両方を妥協を図るものとなっている。詳しく説明すると、大抵の現用設計では、アプリケータ要素アセンブリ、例えば、ニブアセンブリと弁ドアとを相互接触させることに直接又は間接依存して閉じた弁ドアを開放させている。しかし、そうした接触はアプリケータ要素及び弁ドアの双方が損耗する点で弁シールの信頼性を低下させるものである。更には、アプリケータ要素は代表的には接触時に流体を付着させるものであることから、アプリケータ要素と弁ドアとの相互作用により弁ドアのシール機能構造部に流体が付着し、そうした相互作用が繰り返されてシール機能構造部に付着される流体が増え続けるとシール効果は徐々に低下し、ついにはシール効果は失われ、アプリケータ要素は周囲雰囲気に露呈されることになる。アプリケータ要素と弁ドアとの反復接触による付着流体の増大は、引込み時のアプリケータ要素及びリザーバホルダアセンブリとの結合または貼り付きの原因ともなる。
【０００５】
詳しくは、付着流体量は、流体の粘性（又はその他の流体成分）に起因する力により、アプリケータ要素及びリザーバホルダ部品の何れか又は両方を正しく出し入れできなくなる程に増大する。引込み時は、流体は弁胴部の内壁とアプリケータ要素アセンブリ内のチューブの外壁との間に付着し、引き出し時は、弁ドア上に付着していた流体がアプリケータ要素アセンブリ内のチューブの外壁上に移行して戻され得る。この流体戻りは、アプリケータ要素と接触した弁ドアがアプリケータ要素によって押し開けられた後もチューブの外壁と接触し続けることで生じ得る。
【０００６】
現用設計のものは、色々の機械的又は材料従属性の手段にも依存して、引込み式用具、例えばマーカーにおけるシール再現性を提供している。そうした手段の各々により提供されるシール再現性には程度に差があると考えられるが、閉位置に戻す材料弾性に依存してシール再現性を得ている設計のものでは何れも、サイクル疲労やエージングの問題が避け難いものとなる。例えば、長い間使用され且つ様々な条件に晒されるとその再現性は、シール状態であるのにアプリケータ要素が周囲雰囲気に露呈されてしまう程に低下する。機械的手段に依存する場合、引込み式用具のシール再現性はずっと高くなるが構造が複雑化することで故障が増える。例えば米国特許第５，０２２，７７３号（７７３特許）を参照されたい。７７３特許には、軟鋼部材（２４）に閉鎖力を提供するバネクリップ（２２）を設けた構造が開示されるが、この構造には、筆記用チップ（３４）がシール部材を押し通される間に筆記用チップ自身がバネクリップを押し開くことに起因する、先に言及したと同じインク付着の問題がある。しかも、筆記用チップは、バネクリップによって付加される強い半径方向力のせいで、シール部材を貫いて出入りする間に損傷することがある。
【先行技術文献】
【特許文献】
【０００７】
【特許文献１】米国特許第６，９８１，８１２号明細書
【特許文献２】米国特許第５，０２２，７７３号明細書
【特許文献３】米国特許出願公開第２００６−０２１６１０３Ａ１号
【特許文献４】米国特許第６，９６４，５３４号明細書
【発明の概要】
【発明が解決しようとする課題】
【０００８】
引込み自在型用具用の信頼性及び再現性を改善したシールアセンブリを提供することである。
【課題を解決するための手段】
【０００９】
本発明によれば、引込み自在型用具、例えば、ペン、マーカーその他用の信頼性及び再現性を改善したシールアセンブリが提供される。詳しくは、シールアセンブリが用具の内側アセンブリに連結され、かくして、用具出し入れに際してのシールアセンブリの動きが拘束され得るようになる。
【００１０】
本発明の１様相によれば、引込み自在型用具用のシールアセンブリが提供され、ベース部と、このベース部に装着した少なくとも２本のフィンガ部と、ベース部を部分的に包囲するスリーブとを含んでいる。引込み自在型用具が引き込み位置にある場合、スリーブはフィンガ部を全閉状態下に拘束し、かくして用具のアプリケータ要素を有効にシールする。ベース部をスリーブに関して引き出すと、スリーブは各フィンガ部を開放させ、かくしてアプリケータ要素を露呈させる。シールアセンブリのベース部はフランジを更に含み、このフランジは引込み自在型用具のチューブの内面に配置した内側フランジと係合するようになっている。
シールアセンブリはアプリケータ要素と相対して配置した、ベース部をシールする端部シールを更に含み得る。また、シールアセンブリのスリーブは、引込み位置においてシールアセンブリの各フィンガ部用の座を提供する。
【００１１】
ベース部とフィンガ部とは、用具のノーズ部のストッパがスリーブのストッパと係合するまで引き出され、かくして、ベース部及びフィンガ部が引き出されないようこれらベース部及びフィンガ部を拘束すると同時に、アプリケータ要素が引込み自在型用具から完全に引き出され、使用位置に位置付けられるようにする。また、アプリケータ要素を引き込む間、スリーブ上に配置した一組のストッパが、用具の胴部上に配置した一組のストッパと係合し、かくして、アプリケータ要素がそれ以上引き込まれないようにすると共に、フィンガ部がアプリケータ要素の周囲で閉じ且つアプリケータ要素をシールできるようにする。
シールアセンブリは、コレット又はコレットタイプの弁を更に含み得る。
【００１２】
本発明の他の様相によれば引込み自在型の筆記用具が提供され、胴部と、胴部の第１端部に配置したノーズと、同部内に配置されニブを含む筆記用内側アセンブリとを含んでいる。引込み自在型筆記用具は更に、筆記用内側アセンブリに連結したシールアセンブリを含む。シールアセンブリは、ベース部と、ベース部に装着した少なくとも２本のフィンガ部と、ベース部を部分的に包囲するスリーブと、を含む。引込み自在型筆記用具を引込み位置とした場合、スリーブはフィンガ部を全閉状態下に拘束し、かくしてニブを有効にシールする。ベース部をスリーブに関して引き出すとスリーブは各フィンガ部を開放させ、かくしてニブを露呈させる。
【００１３】
本発明の他の様相によれば引込み自在型用具が提供され、胴部と、胴部の第１端部に配置したノーズと、同部内に配置され且つアプリケータ要素を含む内側アセンブリと、を含んでいる。引込み自在型用具は、内側アセンブリに連結したシールアセンブリを更に含み、シールアセンブリは、ベース部と、ベース部に装着した少なくとも２本のフィンガ部と、ベース部を部分的に包囲するスリーブと、を含んでいる。引込み自在型用具を引き込み位置とした場合、スリーブはフィンガ部を全閉状態下に拘束し、かくしてアプリケータ要素をシールし、ベース部をスリーブに関して引き出した場合は、スリーブは各フィンガ部を開放させ、かくしてアプリケータ要素を露呈させる。
【発明の効果】
【００１４】
引込み自在型用具用の信頼性及び再現性を改善したシールアセンブリが提供される。
【図面の簡単な説明】
【００１５】
【図１】図１は、本発明に従うシールアセンブリを有するキャップレス式の引込み自在型用具を引き出し位置で示した斜視図である。
【図２】図２は、用具内側アセンブリに連結した状態で示した本発明のシールアセンブリの斜視図である。
【図３】図３は、引き出し位置で示した、本発明のシールアセンブリの側面図である。
【図４】図４は、引込み自在型用具を引き出し位置で示した、図１のキャップレス式の引込み自在型用具の断面図である。
【図５】図５は、引込み自在型用具を引込み位置で示した、本発明のシールアセンブリの部分断面図である。
【図６】図６は、引込み自在型用具を引出し位置で示した、本発明のシールアセンブリの部分断面図である。
【図７】図７は、シールアセンブリのフィンガ部を開位置で示した、本発明のシールアセンブリの斜視図である。
【図８】図８は、シールアセンブリのフィンガ部を開位置で示した本発明のシールアセンブリの側面図である。
【発明を実施するための形態】
【００１６】
図１を参照するに、引込み自在型用具１０が示され、胴部１２と、胴部１２の第１端部に配置したノーズ１４と、を含んでいる。例えば図１に示したように、胴部１２の第２端部または起動端部には押しボタン又はアクチュエータ１６が配置され、胴部１２にはクリップ１８が配置される。詳しくは、起動端部方向に伸延するシャフトを有するプラグと、シャフト上に配置したプランジャとを含む、既知のノックタイプの起動システムを使用できる、プランジャと、アクチュエータ又は押しボタン１６との間にバネを配置する。プラグと、プランジャと、バネと、アクチュエータ又は押しボタン１６とを相互に連結することにより、周知のノック式起動システムが提供される。アクチュエータを押す毎に、起動システムはアプリケータ要素、例えばニブを、引き込み位置と引き出し又は使用位置、例えば筆記位置との間に交互に配置させる。加えて、ノック式起動システムやその他の形式の起動システムを使用できる。例えば、米国特許出願公開第２００６−０２１６１０３Ａ１号に示されるようなサイドボタン起動システムを使用しても良い。この例では、本発明のアクチュエータは筆記用具又は用具の胴部側壁の長孔に通したサイドアクチュエータに置き換えられている。
【００１７】
図２及び図３を参照するに、引込み自在型用具１０が示され、用具内側アセンブリ２０（図２）を含んでいる。用具内側アセンブリ２０は、本実施例ではニブ２４及びニブアダプタ２６、チューブ２８、そしてリザーバホルダ３０を含むアプリケータ要素アセンブリ２２を含む。シールアセンブリ３２が用具内側アセンブリ２０に連結され、ベース部３４と、フィンガ部３６と、スリーブ３８とを含んでいる。胴部１２は、引込み位置（図５）にある場合のアプリケータ要素アセンブリ２２及びシールアセンブリ３２を共に格納する。アプリケータ要素アセンブリ２２は、シールアセンブリ３２にリンク結合されていることからシールアセンブリ要素３２と同時に引き出され及び引き込まれる。
【００１８】
図４を参照するに、引込み自在型用具１０の内側構成部品が示され、シールアセンブリ３２が用具内側アセンブリ２０（図２）、例えば、アプリケータ要素アセンブリ２２、チューブ２８、リザーバホルダ３０、に連結されている。リザーバホルダ３０は、流体、例えばインクの保存手段を提供し、チューブ２８は、アプリケータ要素２４、例えばニブを保持すると共に、リザーバホルダ３０からアプリケータ要素２４に流体を移行させる。バネ４０も示されている。胴部１２の押しボタン１６を押し込むと、この押しボタンに直結されたリザーバホルダ３０、アプリケータ要素２４、チューブ２８、アプリケータ要素アダプタ２６、が引き出される。
【００１９】
本明細書では引込み自在型用具１０の１実施例を示したが、引込み自在型用具１０は一般に、米国特許第６，９６４，５３４号（５３４特許）に示した任意の構成のものとされ得る。換言すると、以下に詳しく説明するシールアセンブリ３２は、５３４特許に示される任意の筆記用具内に、僅かな改変のみで組み込める。従って、シールアセンブリ３２は多孔質リザーバ内に形成した毛管により流体インクを流動させる繊維質ニブと組み合わせて使用できる。また、シールアセンブリ３２は、流体インクを収納する容積部をリザーバとする、多孔質バッファシステムを用いる如きフリーインク式筆記用具として設計した筆記用具とも組み合わせ得る。更にはシールアセンブリ３２は、その他の点では従来型のボールペンと組み合わせて使用できる。
【００２０】
図５及び図６を参照するに、シールアセンブリ３２のベース部３４と、フィンガ部３６と、スリーブ３８とを、チューブ２８及びベース部３４の両方に組み込んだ、相互に干渉するフランジ部を介して引き出す状況が示される。詳しくは、図５に示したように、チューブ２８がフランジ４２を含み、ベース部３４もまたフランジ４４を含み、これらのフランジ４２及び４４は相互に干渉し、図５に示したようなマーカーの初期引き出し時に係合する。
シールアセンブリ３２は、アプリケータ要素２４と相対するその端部位置に配置した追加のシールにして、シールアセンブリ３２の後方部分を周囲雰囲気に対してシールするシールをも含み得る。例えば、チューブ２８の外壁及びベース部３４の内壁の何れか又は両方に配置したシールビードを端部シールとし得る。
【００２１】
スリーブ３８はその引込み位置においてフィンガ部３６を拘束すると共に、座を提供する。詳しくは、スリーブ３８とフィンガ部３６の外面とが干渉することでフィンガ部３６が相互方向に引き寄せられ、かくしてアプリケータ要素２４を周囲雰囲気からシールする。
引き出し動作の開始時において、ベース部３４のフランジ４４がスリーブ３８（図６）と接触し、シールアセンブリ３２はチューブ２８のフランジ４４がフランジ４２をかわすまでは閉じている。引き続く引き出し動作によりシールアセンブリのフィンガ部３６が開き始め、ノーズ１４の前方ストッパ４８が、拘束されたスリーブ３８の相当する前方ストッパ５０と係合すると、ベース部３４とフィンガ部３６との引き出し動作が拘束される。この時点ではフィンガ部３６は開いており、アプリケータ要素２４、例えばニブはノーズ１４の外側に完全に引き出された使用位置にある。このプロセス中、シールアセンブリ３２のシール機能構造部のどの部分もアプリケータ要素２４とは接触せず、かくしてアプリケータ要素２４からの流体移行が無いので、シールが劣化する恐れが無くなる。
【００２２】
アプリケータ要素２４を胴部１２内に引込むに際しては、ベース部及びチューブ２８の各フランジ４４及び４２が、起動機構の、例えば、バネによる押し引きの何れかの力である引込み力により係合する。先に説明した通り、相互に干渉するベース部のフランジ４４とチューブ２８のフランジ４２とは、アプリケータ要素２４を完全に引き込んだ位置（例えば図５参照）では相互に係合し、アプリケータ要素２４を引き出すとチューブ２８のフランジ４２がベース部のフランジ４４をかわし、アプリケータ要素２４が完全に引き出されるとシールアセンブリ３２（図６）のフィンガ部３６の内部又は直ぐ隣り合う位置に配置される。従って、アプリケータ要素２４を完全に引き出した位置では、チューブ２８のフランジ４２はシールアセンブリ３２（図６）のフランジ３６の内部または直ぐ隣り合って配置されるので、アプリケータ要素アセンブリの引き込み開始時にはアプリケータ要素アセンブリ２２は胴部１２内に戻り始め、引き続く引込み動作により、スリーブ３８のストッパ５０が胴部１２（図５）のストッパ５４と係合し、かくしてフィンガ部３６がアプリケータ要素２４の周囲で閉じる。言い換えると、フィンガ部３６が相対的にきつく引き寄せられることで、信頼性及び再現性のあるシールが形成される。更には、ストッパ５０がストッパ５４と係合すると、フランジ４２及び４４が相互に係合すると共に、次の引き出しサイクルのために位置決めされる。
【００２３】
上記設計構造を有するアプリケータ要素アセンブリ３２に於て、引込み自在型用具のアプリケータ要素２４は外部環境から信頼下に且つ一貫してシールされ、かくしてドライアウトが防止される。更には、例えばマーカーその他で使用される弁アセンブリの現用の手組み立て法とは異なり、上述した引込み自在型用具１０のシールアセンブリ３２の組み立て法は相当量の手組作業を要することなく高速組み立てプロセスに組み込み得るものである。
シールアセンブリ３２は、例えば図７や図８に示したようなコレットまたはコレット式のものであり、例えば、コレット式の弁アセンブリ３２ａは、ベース部３４ａと、フィンガ部３６ａと、スリーブ３８ａとを含む。
【００２４】
更には、シールアセンブリ３２の、例えばフィンガ部３６のようなシール機能構造部をＴＰＥとしても知られる熱可塑性エラストマーの様な色々の材料から形成し得る。熱可塑性エラストマーは、溶解し、そのまま冷える熱可塑性と、ゴム様の弾性とを併せ持つ。大抵のエラストマーが熱硬化性を有するのとは対照的に、熱可塑性エラストマーは、例えば射出成型による製造に比較的容易に使用できる。熱可塑性エラストマーは、溶解及び再使用が可能であることから、熱硬化性材料とは異なり、リサイクル性を有する。ｈｔｔｐ：／／ｅｎ．ｗｉｋｉｐｅｄｉａ．ｏｒｇ／ｗｉｋｉ／Ｔｈｅｒｍｏｐｌａｓｔｉｃ_ｅｌａｓｔｏｍｅｒ、及びｈｔｔｐ：／／ｗｗｗ．ｐｓｌｃ．ｗｓ／ｍａｃｔｅｓｔ／ｔｐｅ．ｈｔｍを参照されたい。ＴＰＥは、ＴＰＵとしても知られる熱可塑性ウレタンを含む。例えばＳａｎｔｏｐｒｅｎｅ（登録商標）製品のような様々のＴＰＥ製品が、例えばオハイオ州アクロンのＡｄｖａｎｃｅｄ  Ｅｌａｓｔｏｍｅｒ  Ｓｙｓｔｅｍｓ，Ｌ．Ｐ．，社から提供されている。
【００２５】
シールアセンブリ３２及び引き込み自在型用具１０のその他の成型パーツは熱可塑性ポリマーから形成され得る。ここで熱可塑性ポリマーとは、一般に、加熱すると軟化し、室温に冷やすと復元する合成高分子を含むものとする。詳しくは、熱可塑性ポリマーには、塩化ポリビニル、ナイロン、プロピレン／αオレフィンコポリマー、ポリエチレン、エチレン／αオレフィンコポリマー、ポリウレタンプレポリマー、スチレン／エチレンのようなポリスチレン、水素化スチレン／ブタジエンブロックコポリマー、ポリプロピレン、セルロース系樹脂、アクリル系樹脂、が含まれる。
【００２６】
以上、本発明を実施例を参照して説明したが、本発明の内で種々の変更をなし得ることを理解されたい。本発明の、シールアセンブリ３２を有する引込み自在型用具は、蛍光ペン、マーカー、フェルトペン、ボールペン、その他で使用可能であり、シールアセンブリ３２はペイントブラシアプリケータ、修正液アプリケータ、ネイルポリッシュやマスカラアプリケータ、パフュームアプリケータ、デオドラントアプリケータ、の様なメーキャップアプリケータ、を含む様々のその他の引込み自在型用具にも使用可能である。
【符号の説明】
【００２７】
１０  自在型用具
１２  胴部
１４  ノーズ
１６  アクチュエータ
１８  クリップ
２０  用具内側アセンブリ
２２  アプリケータ要素アセンブリ
２４  アプリケータ要素
２６  アプリケータ要素アダプタ
２８  チューブ
３０  リザーバホルダ
３２  アプリケータ要素アセンブリ
３２ａ  弁アセンブリ
３４、３４ａ  ベース部
３６、３６ａ  フィンガ部
３８、３８ａ  スリーブ
４２、４４  フランジ
４８、５０、５４  ストッパ
【図１】
2010517815.tif 000003
【図２】
2010517815.tif 000004
【図３】
2010517815.tif 000005
【図４】
2010517815.tif 000006
【図５】
2010517815.tif 000007
【図６】
2010517815.tif 000008
【図７】
2010517815.tif 000009
【図８】
2010517815.tif 000010
【図９】
2010517815.tif 000011
【図１０】
2010517815.tif 000012
【国際調査報告】
2010517815.tif 000013
2010517815.tif 000014
2010517815.tif 000015